(57)【要約】      （修正有）【課題】容易に磁石が装着出来て、かつ生地に縫い付け固定することも出来る詰襟などに用いる留め具を提供する。【解決手段】詰襟などに用いる留め具１は、磁石を弾性素材で包み込み格納する形態とし、前記弾性素材製留め具の左右方向、即ち詰襟などを閉じる方向に開口部が設けられているので、磁石を挿入し格納することも非常に容易で、なおかつ、家庭の洗濯やクリーニング時にも洗濯液や薬剤が弾性素材製の留め具内部に溜まりにくい詰襟などに用いる留め具とする。【選択図】図１
0003169768.tif 000002
【実用新案登録請求の範囲】
【請求項１】
磁石を格納する弾性素材製の詰襟などに用いる留め具であって、
前記留め具の磁石挿入用の開口部の開口幅は磁石の寸法よりも小さく形成するが、留め具の素材である弾性素材が柔軟性を有することにより磁石を押し込んで格納し、格納後は開口部が収縮して元の寸法に戻って開口幅が狭まることで磁石が外れにくい詰襟などに用いる留め具。
【請求項２】
請求項１に記載された詰襟などに用いる留め具において、弾性部材から成る生地固定用基板部は衣服生地に糸で縫うことが可能なことを特徴とする詰襟などに用いる留め具。
【請求項３】
請求項１及び請求項２に記載された詰襟などに用いる留め具において、
弾性素材はシリコーン樹脂であることを特徴とする詰襟などに用いる留め具。
【請求項４】
請求項１及び請求項２に記載された詰襟などに用いる留め具において、
弾性素材はウレタン樹脂や熱可塑性エラストマー、その他ゴム素材であることを特徴とする詰襟などに用いる留め具。
【考案の詳細な説明】
【技術分野】
【０００１】  本考案は、学生服の詰襟などに用いる留め具に関する。
【背景技術】
【０００２】  従来、衣料用の詰襟用の留め具では磁石を格納させることがなかなか厄介であった。これらの留め具に関する技術が知られている（例えば、特許文献１、特許文献２、特許文献３参照）。【０００３】
【特許文献１】実用新案公報昭和６３−第４２８２０号公報
【特許文献２】特許第４２９０７０８号公報
【特許文献３】登録実用新案公報第３１４４４５４号公報
【考案の開示】
【考案が解決しようとする課題】
【０００４】  しかしながら、特許文献１は、磁石の形状も略三角錐形状で制作に大きな費用を要するものであり、格納することも厄介な作業である。【０００５】  また特許文献２は磁石収納部材にスリットを設けて釦に留め易くはしているが、やはり磁石を格納することが厄介な作業である。【０００６】  更に特許文献３は表側固定具、裏側固定具共に内部に磁石を格納する形態であり、
磁石を格納することが厄介な作業であるし、また２つの固定具がピンとピン受け部で留めるために、位置決めが限定される傾向がある。【０００７】  そこで、詰襟部の留め具として、容易に磁石を格納することが出来て、かつ生地に縫い留めることも出来る詰襟などに用いる留め具の要望が従来から大きかった。【０００８】  本考案は、以上のような従来の問題点を解決するために創案されたもので、次の目的を達成する。【０００９】  本考案の目的は、例えば、学生服の詰襟などで、生地に縫い付けて、磁石を格納した形態の留め具を製造するのに磁石の格納が容易であり、使用に当たっては表面が柔軟性があって皮膚への接触感もソフトな詰襟などに用いる留め具であり、これを２個用意して学生服などの詰襟の左右に設置することにより、詰襟を容易に留めて閉じることである。【００１０】  また、本考案の留め具については学生服などの詰襟に限定されるものではなく、それ以外に、一般の紳士用や婦人用の衣料品の襟部分にも使用出来ることは言うまでもない。
【課題を解決するための手段】
【００１１】  本考案は、前記目的を達成するために次の手段をとる。
本考案１の詰襟などに用いる留め具は、磁石を弾性素材で包み込み格納する形態の留め具であって、弾性素材としてシリコーン樹脂やウレタン樹脂、熱可塑性エラストマー、その他ゴム素材を採用し、前記弾性素材製の留め具の左右方向、即ち詰襟などを閉じる方向の中央に開口部が設けられているので磁石を挿入することが容易で、かつ格納後は磁石が突き当たる格納部の内壁に設けた反対側の開口部は、挿入部よりも開口幅を狭めてあるので抜け落ちにくい。なおかつ、２つの開口部を設けたことにより家庭の洗濯やクリーニング時における洗濯液や薬剤が格納部の内部に溜まりにくいことを特徴とする。【００１２】  本考案２の詰襟などに用いる留め具は、前記弾性素材製の留め具の、詰襟などを閉じる方向の挿入部側にのみ開口部が設けてあることを特徴とする。
【考案の効果】
【００１３】  以上説明したように、本考案の詰襟などに用いる留め具は、磁石を包み込に格納する弾性素材としてシリコーン樹脂やウレタン樹脂、熱可塑性エラストマー、その他ゴム素材を採用したことなど、詰襟などに用いる留め具に対して創意工夫を行ったことにより、磁石の挿入と格納も容易で、なおかつ周辺部も弾性素材で出来ているので、衣類生地にじかに縫い付けすることが可能な、今までにない詰襟などに用いる留め具を作ることが出来るものである。
【考案を実施するための最良の形態】
【００１４】  本考案の詰襟などに用いる留め具の実施の形態を図面に基づいて説明する。【００１５】  〔実施の形態１〕
図１は、本考案の詰襟などに用いる留め具の実施の形態１を示す正面図である。図２は、本考案の詰襟などに用いる留め具の磁石の挿入開口部側から見た側面図である。図３は、本考案の詰襟などに用いる留め具の磁石の挿入開口部とは反対側から見た側面図である。図４は、本考案の詰襟などに用いる留め具の底面図である。【００１６】  〔実施の形態２〕
図５は、本考案の詰襟などに用いる留め具の実施の形態２を示す正面図である。図６は、本考案の詰襟などに用いる留め具の磁石の挿入開口部側から見た側面図である。図７は、本考案の詰襟などに用いる留め具の磁石の挿入開口部とは反対側から見た側面図である。図８は、本考案の詰襟などに用いる留め具の底面図である。【００１７】  以上、本考案の実施の形態を説明したが、本考案はこの実施の形態に限定されることはない。本考案の目的、趣旨を逸脱しない範囲内での変更が可能なことはいうまでもない。
【図面の簡単な説明】
【００１８】
【図１】図１は、詰襟などに用いる留め具の実施の形態１を示す正面図である。
【図２】図２は、図１の詰襟などに用いる留め具の磁石挿入開口部側から見た側面図である。
【図３】図３は、図１の詰襟などに用いる留め具の磁石挿入開口部の反対側から見た側面図である。
【図４】図４は、図１の詰襟などに用いる留め具の底面図である。
【図５】図５は、詰襟などに用いる留め具の実施の形態２を示す正面図である。
【図６】図６は、図５の詰襟などに用いる留め具の磁石挿入開口部側から見た側面図である。
【図７】図７は、図５の詰襟などに用いる留め具の磁石挿入開口部の反対側から見た側面図である。
【図８】図８は、図５の詰襟などに用いる留め具の底面図である。
【符号の説明】
【００１９】１…詰襟などに用いる留め具１
１ａ…磁石格納部の磁力密接部
１ｂ…生地固定用基板部
１ａ−１…磁石挿入用開口部
１ａ−２…１ａ−１の反対側の開口部
２…詰襟などに用いる留め具２
２ａ…磁石挿入開口部
【図１】
0003169768.tif 000003
【図２】
0003169768.tif 000004
【図３】
0003169768.tif 000005
【図４】
0003169768.tif 000006
【図５】
0003169768.tif 000007
【図６】
0003169768.tif 000008
【図７】
0003169768.tif 000009
【図８】
0003169768.tif 000010